(57)【要約】      （修正有）【課題】蓋体と蓋体の間に収納空間を形成して別の物品を収納する空間を提供し、且つ副蓋体によって緩衝効果を備え、蓋体を保護する効果を備えるスーツケース構造を提供する。【解決手段】スーツケース構造は、主に、硬質箱体１０の蓋体１２の正面に定位片１４、連結部品２０、副蓋体２２を設置し、定位片、連結部品、副蓋体の間に第一組ファスナー１５、第二組ファスナー２１を設置して、副蓋体を蓋体に結合する。更に副蓋体と蓋体の間に収納空間を形成することで、別の物品を収納する空間を提供し、日常的によく使用する物品を入れられるので便利である。【選択図】図２
0003168633.tif 000002
【実用新案登録請求の範囲】
【請求項１】
スーツケース構造において、
箱体の蓋体正面に定位片を設置し、定位片は第一組ファスナーを備え、また連結部品、副蓋体を設置し、副蓋体は第二組ファスナーを備え、連結部品は第一組ファスナー及び第二組ファスナーを備え、連結部品の第一、二組ファスナーは定位片の第一組ファスナー、副蓋体の第二組ファスナーをそれぞれ結合させ、副蓋体、連結部品、定位片、蓋体を連結して一体にし、副蓋体と蓋体間に別の収納空間を形成することを特徴とするスーツケース構造。
【請求項２】
前記箱体の蓋体正面には、凹槽を設置し、凹槽内に定位片を組み合わせることを特徴とする請求項１記載のスーツケース構造。
【請求項３】
前記連結部品と副蓋体間の両側に側片を設置し、側片は連結部品と副蓋体を強化して一体に連結することを特徴とする請求項１記載のスーツケース構造。
【請求項４】
前記連結部品と定位片間には、補助片を設置し、補助片は連結部品と定位片を強化して一体に連結することを特徴とする請求項１記載のスーツケース構造。
【考案の詳細な説明】
【技術分野】
【０００１】
本考案は、スーツケース構造に関するもので、硬質スーツケースの蓋体正面に副蓋体を備え、一収納空間を増やし、且つ蓋体を保護するものに係わる。
【背景技術】
【０００２】
公知のスーツケース構造は、およそ図１に示すとおり、プラスチック材の箱体１、蓋体２から構成され、箱体１と蓋体２の間はファスナー３で連結する。但し、従来の上述構造は、下述の欠点がある。
【０００３】
箱体１と蓋体２間は単一の収納空間だけで、全ての物品が同一空間に収納され、多空間に分類して収納することができない。例えば、或る一つの物品を取り出したい時、蓋体２を開けて全ての物品を広げなければならない。公共の場でそのような場面になった場合、人に見られたくない物品(例として下着類)は、非常に不便である。
【０００４】
物品を取り出すために蓋体２を開ける時、箱体１を地面に平置きしなければならず、直立で開けると、中の物品が傾いて出てしまう。また、地面に平置きするには大きな空間を必要とするという欠点もある。
【０００５】
蓋体２の外周面には、その他の構造がないため、外からの圧力を受けた時、直接蓋体２が受けることになる。
【先行技術文献】
【特許文献】
【０００６】
【特許文献１】実用新案登録第３１１７５４４号
【考案の概要】
【考案が解決しようとする課題】
【０００７】
上述したように従来のスーツケースは、単一の収納空間しかないので、日常的に使用する物品を取り出す際、全てをとり出さなければならず、また開閉にはケースを平置きするので、狭い場所では開けられないといった問題点があった。  本考案の課題は、上記の問題点に鑑みてなされたもので、従来の収納空間と外に収納空間を増やし、且つ蓋体を保護するスーツケースを提供しようとするものである。
【課題を解決するための手段】
【０００８】
本考案は、主に、硬質箱体の蓋体の正面に定位片、連結部品、副蓋体を設置し、定位片、連結部品、副蓋体の間に第一組ファスナー、第二組ファスナーを設置して、副蓋体を蓋体に結合する。更に副蓋体と蓋体の間に収納空間を形成することで、別の物品を収納する空間を提供し、日常的によく使用する物品を入れられるので便利であることを最も主要な特徴とする。
【０００９】
すなわち、請求項１の考案は、スーツケース構造において、箱体の蓋体正面に定位片を設置し、定位片は第一組ファスナーを備え、また連結部品、副蓋体を設置し、副蓋体は第二組ファスナーを備え、連結部品は第一組ファスナー及び第二組ファスナーを備え、連結部品の第一、二組ファスナーは定位片の第一組ファスナー、副蓋体の第二組ファスナーをそれぞれ結合させ、副蓋体、連結部品、定位片、蓋体を連結して一体にし、副蓋体と蓋体間に別の収納空間を形成することを特徴とする。
【００１０】
請求項２の考案は、請求項１記載のスーツケース構造において、前記箱体の蓋体正面には、凹槽を設置し、凹槽内に定位片を組み合わせることを特徴とする。
請求項３の考案は、請求項１記載のスーツケース構造において、前記連結部品と副蓋体間の両側に側片を設置し、側片は連結部品と副蓋体を強化して一体に連結することを特徴とする。
請求項４の考案は、請求項１記載のスーツケース構造において、前記連結部品と定位片間には、補助片を設置し、補助片は連結部品と定位片を強化して一体に連結することを特徴とする。
【考案の効果】
【００１１】
本考案のスーツケース構造は、硬質スーツケースの蓋体正面に副蓋体を備え、従来の単一収納空間の他に、別途に収納空間を増やし、日常的によく使用する物品を収納することができ、それを取り出す際にも箱体を開ける必要がない。
また、且つ、外からの圧力に対して、副蓋体が緩衝効果を有するので、蓋体を保護するという利点があり、蓋体が直接擦れたり、ぶつかったりするのも防止することができる。
更に、箱体を直立状態のまま副蓋体を開けることができ、地面に平置きする必要がなく、小さな空間で開けることができ非常に便利ある。
【図面の簡単な説明】
【００１２】
【図１】公知立体図である。
【図２】本考案の実施例の立体分解図である。
【図３】本考案の実施例の組立立体図である。
【図４】本考案の実施例の組立後に蓋を閉じた状態の立体図である。
【図５】本考案の実施例の組立後に蓋を開けた状態立体図である。
【図６】本考案の別の実施例の立体分解図である。
【図７】図６の組立立体図である。
【考案を実施するための形態】
【００１３】
本考案の特徴は、上述の公知スーツケースの欠点を改善するため、箱体の蓋体正面に蓋体に固定した定位片を設置し、該定位片に連結部品、副蓋体を設置し、該副蓋体をファスナーで開閉することを主な技術及び目的とする。このため、箱体の蓋体正面に別途の収納空間が形成され、日常的によく使用する物品を収納することができ、それを取り出す際にも箱体を開ける必要がない。更に、副蓋体によって蓋体を保護する作用を備え、且つ箱体を直立状態のまま副蓋体を開けることができるので非常に便利である。
【実施例】
【００１４】
本考案の好適のスーツケースの実施例を図面に沿って説明する。
図２、３、４、５の実施例１に示すとおり、箱体１０はファスナー１１で蓋体１２を合わせて収納空間を形成する箱体１０を開閉する。蓋体１２の正面には矩形の凹槽１３を設置し、凹槽１３内に定位片１４を固定的に設置する。
該定位片１４の矩形の外周縁に沿って第一組ファスナー１５を備え、また、該定位片１４に対応して連結部品２０を設け、該連結部品２０の一面は前記第一組ファスナー１５によって定位片１４に連結或いは分離される。
該連結部品２０の定位片１４の反対側には、副蓋体２２、副蓋体２２を連結部品２０に連結或いは分離する第二組ファスナー２１を備えている。
【００１５】
前記連結部品２０は定位片１４側に第一組ファスナー１５、及び副蓋体２２側に第二組ファスナー２１を備え、該連結部品２０の第一、二組ファスナー１５、２１は定位片１４の第一組ファスナー１５、副蓋体２２の第二組ファスナー２１とそれぞれ結合し、これら第一、二組ファスナー１５、２１を閉めれば、副蓋体２２、連結部品２０、定位片１４、蓋体１２によって一体に連結する。更に、副蓋体２２と蓋体１２間には収納空間を形成し、他に連結部品２０と副蓋体２２間の両側には側片２３(図５参照)を設置し、副蓋体２２を補助して連結部品２０と連結して一体にし、副蓋体２２が必要以上に開くのを阻止し、かつ、内容物がこぼれ出すを防止するようにしてある。
【００１６】
本考案の他の実施例２は、図６，７の形態に示すようなものでもよい。実施例２は、蓋体１２正面を平面状にして蓋体１２平面上に定位片１４を設置し、定位片１４と連結部品２０間に縫い合わせて、底面側に定位片１４と連結部品２０を一体に連結するための補助片１６を設置し、該補助片１６は連結部品２０と定位片１４の結合強度を更に強化する。該連結部品２０は布片を採用し、定位片１４に飾りを設置する。
【００１７】
上述構造によって、下述の長所を備える。
図４、５に示すとおり、箱体１０の蓋体１２の正面に、箱体１０と蓋体１２とで形成する収納空間とは別に、副蓋体２２によって収納空間を形成することで、よく使う物品を収納できる。言い換えると、箱体１０と蓋体１２間の収納空間を開ける必要がなく、第一組ファスナー１５或いは第二組ファスナー２１を開いて副蓋体２２を開ければ良い。そのため、非常に便利である。
【００１８】
また、図５に示すとおり、副蓋体２２を開ける時、第一組ファスナー１５或いは第二組ファスナー２１を分離して底部の該補助片１６(図６,７参照)を中心に開けばよく、この場合、箱体１０は直立状態でよく、地面に平置きする必要がないので、小さな空間で開けることができ、非常に便利ある。
【００１９】
また、蓋体１２の正面に副蓋体２２を形成し、蓋体１２を保護する作用を備えるため、蓋体１２が直接擦れたり、ぶつかったりするのを防止する。
なお、本考案の特徴を損なうものでなければ、上述した実施例に限定されないことは勿論であり、本考案の構造は、極めて良好な実用性と効果を備えている。
【符号の説明】
【００２０】
１        箱体
１０        箱体
１１        ファスナー
１２        蓋体
１３        凹槽
１４        定位片
１５        第一組ファスナー
１６        補助片
２        蓋体
２０        連結部品
２１        第二組ファスナー
２２        副蓋体
２３        側片
３        ファスナー
【図１】
0003168633.tif 000003
【図２】
0003168633.tif 000004
【図３】
0003168633.tif 000005
【図４】
0003168633.tif 000006
【図５】
0003168633.tif 000007
【図６】
0003168633.tif 000008
【図７】
0003168633.tif 000009
【手続補正書】
【提出日】平成23年4月8日(2011.4.8)
【手続補正１】
【補正対象書類名】実用新案登録請求の範囲
【補正対象項目名】全文
【補正方法】変更
【補正の内容】
【実用新案登録請求の範囲】
【請求項１】
スーツケース構造において、
箱体の蓋体正面に固定片を設置し、固定片は第一組ファスナーを備え、また連結部品、副蓋体を設置し、副蓋体は第二組ファスナーを備え、連結部品は第一組ファスナー及び第二組ファスナーを備え、連結部品の第一、二組ファスナーは固定片の第一組ファスナー、副蓋体の第二組ファスナーをそれぞれ結合させ、副蓋体、連結部品、固定片、蓋体を連結して一体にし、副蓋体と蓋体間に別の収納空間を形成することを特徴とするスーツケース構造。
【請求項２】
前記箱体の蓋体正面には、凹槽を設置し、凹槽内に固定片を組み合わせることを特徴とする請求項１記載のスーツケース構造。
【請求項３】
前記連結部品と副蓋体間の両側に側片を設置し、側片は連結部品と副蓋体を強化して一体に連結することを特徴とする請求項１記載のスーツケース構造。
【請求項４】
前記連結部品と固定片間には、補助片を設置し、補助片は連結部品と固定片を強化して一体に連結することを特徴とする請求項１記載のスーツケース構造。
【手続補正２】
【補正対象書類名】明細書
【補正対象項目名】全文
【補正方法】変更
【補正の内容】
【考案の詳細な説明】
【技術分野】
【０００１】
本考案は、スーツケース構造に関するもので、硬質スーツケースの蓋体正面に副蓋体を備え、一収納空間を増やし、且つ蓋体を保護するものに係わる。
【背景技術】
【０００２】
公知のスーツケース構造は、およそ図１に示すとおり、プラスチック材の箱体１、蓋体２から構成され、箱体１と蓋体２の間はファスナー３で連結する。但し、従来の上述構造は、下述の欠点がある。
【０００３】
箱体１と蓋体２間は単一の収納空間だけで、全ての物品が同一空間に収納され、多空間に分類して収納することができない。例えば、或る一つの物品を取り出したい時、蓋体２を開けて全ての物品を広げなければならない。公共の場でそのような場面になった場合、人に見られたくない物品(例として下着類)は、非常に不便である。
【０００４】
物品を取り出すために蓋体２を開ける時、箱体１を地面に平置きしなければならず、直立で開けると、中の物品が傾いて出てしまう。また、地面に平置きするには大きな空間を必要とするという欠点もある。
【０００５】
蓋体２の外周面には、その他の構造がないため、外からの圧力を受けた時、直接蓋体２が受けることになる。
【先行技術文献】
【特許文献】
【０００６】
【特許文献１】実用新案登録第３１１７５４４号
【考案の概要】
【考案が解決しようとする課題】
【０００７】
上述したように従来のスーツケースは、単一の収納空間しかないので、日常的に使用する物品を取り出す際、全てをとり出さなければならず、また開閉にはケースを平置きするので、狭い場所では開けられないといった問題点があった。  本考案の課題は、上記の問題点に鑑みてなされたもので、従来の収納空間と外に収納空間を増やし、且つ蓋体を保護するスーツケースを提供しようとするものである。
【課題を解決するための手段】
【０００８】
本考案は、主に、硬質箱体の蓋体の正面に固定片、連結部品、副蓋体を設置し、固定片、連結部品、副蓋体の間に第一組ファスナー、第二組ファスナーを設置して、副蓋体を蓋体に結合する。更に副蓋体と蓋体の間に収納空間を形成することで、別の物品を収納する空間を提供し、日常的によく使用する物品を入れられるので便利であることを最も主要な特徴とする。
【０００９】
すなわち、請求項１の考案は、スーツケース構造において、箱体の蓋体正面に固定片を設置し、固定片は第一組ファスナーを備え、また連結部品、副蓋体を設置し、副蓋体は第二組ファスナーを備え、連結部品は第一組ファスナー及び第二組ファスナーを備え、連結部品の第一、二組ファスナーは固定片の第一組ファスナー、副蓋体の第二組ファスナーをそれぞれ結合させ、副蓋体、連結部品、固定片、蓋体を連結して一体にし、副蓋体と蓋体間に別の収納空間を形成することを特徴とする。
【００１０】
請求項２の考案は、請求項１記載のスーツケース構造において、前記箱体の蓋体正面には、凹槽を設置し、凹槽内に固定片を組み合わせることを特徴とする。
請求項３の考案は、請求項１記載のスーツケース構造において、前記連結部品と副蓋体間の両側に側片を設置し、側片は連結部品と副蓋体を強化して一体に連結することを特徴とする。
請求項４の考案は、請求項１記載のスーツケース構造において、前記連結部品と固定片間には、補助片を設置し、補助片は連結部品と固定片を強化して一体に連結することを特徴とする。
【考案の効果】
【００１１】
本考案のスーツケース構造は、硬質スーツケースの蓋体正面に副蓋体を備え、従来の単一収納空間の他に、別途に収納空間を増やし、日常的によく使用する物品を収納することができ、それを取り出す際にも箱体を開ける必要がない。
また、且つ、外からの圧力に対して、副蓋体が緩衝効果を有するので、蓋体を保護するという利点があり、蓋体が直接擦れたり、ぶつかったりするのも防止することができる。
更に、箱体を直立状態のまま副蓋体を開けることができ、地面に平置きする必要がなく、小さな空間で開けることができ非常に便利ある。
【図面の簡単な説明】
【００１２】
【図１】公知立体図である。
【図２】本考案の実施例の立体分解図である。
【図３】本考案の実施例の組立立体図である。
【図４】本考案の実施例の組立後に蓋を閉じた状態の立体図である。
【図５】本考案の実施例の組立後に蓋を開けた状態立体図である。
【図６】本考案の別の実施例の立体分解図である。
【図７】図６の組立立体図である。
【考案を実施するための形態】
【００１３】
本考案の特徴は、上述の公知スーツケースの欠点を改善するため、箱体の蓋体正面に蓋体に固定した固定片を設置し、該固定片に連結部品、副蓋体を設置し、該副蓋体をファスナーで開閉することを主な技術及び目的とする。このため、箱体の蓋体正面に別途の収納空間が形成され、日常的によく使用する物品を収納することができ、それを取り出す際にも箱体を開ける必要がない。更に、副蓋体によって蓋体を保護する作用を備え、且つ箱体を直立状態のまま副蓋体を開けることができるので非常に便利である。
【実施例】
【００１４】
本考案の好適のスーツケースの実施例を図面に沿って説明する。
図２、３、４、５の実施例１に示すとおり、箱体１０はファスナー１１で蓋体１２を合わせて収納空間を形成する箱体１０を開閉する。蓋体１２の正面には矩形の凹槽１３を設置し、凹槽１３内に固定片１４を固定的に設置する。
該固定片１４の矩形の外周縁に沿って第一組ファスナー１５を備え、また、該固定片１４に対応して連結部品２０を設け、該連結部品２０の一面は前記第一組ファスナー１５によって固定片１４に連結或いは分離される。
該連結部品２０の固定片１４の反対側には、副蓋体２２、副蓋体２２を連結部品２０に連結或いは分離する第二組ファスナー２１を備えている。
【００１５】
前記連結部品２０は固定片１４側に第一組ファスナー１５、及び副蓋体２２側に第二組ファスナー２１を備え、該連結部品２０の第一、二組ファスナー１５、２１は固定片１４の第一組ファスナー１５、副蓋体２２の第二組ファスナー２１とそれぞれ結合し、これら第一、二組ファスナー１５、２１を閉めれば、副蓋体２２、連結部品２０、固定片１４、蓋体１２によって一体に連結する。更に、副蓋体２２と蓋体１２間には収納空間を形成し、他に連結部品２０と副蓋体２２間の両側には側片２３(図５参照)を設置し、副蓋体２２を補助して連結部品２０と連結して一体にし、副蓋体２２が必要以上に開くのを阻止し、かつ、内容物がこぼれ出すを防止するようにしてある。
【００１６】
本考案の他の実施例２は、図６，７の形態に示すようなものでもよい。実施例２は、蓋体１２正面を平面状にして蓋体１２平面上に固定片１４を設置し、固定片１４と連結部品２０間に縫い合わせて、底面側に固定片１４と連結部品２０を一体に連結するための補助片１６を設置し、該補助片１６は連結部品２０と固定片１４の結合強度を更に強化する。該連結部品２０は布片を採用し、固定片１４に飾りを設置する。
【００１７】
上述構造によって、下述の長所を備える。
図４、５に示すとおり、箱体１０の蓋体１２の正面に、箱体１０と蓋体１２とで形成する収納空間とは別に、副蓋体２２によって収納空間を形成することで、よく使う物品を収納できる。言い換えると、箱体１０と蓋体１２間の収納空間を開ける必要がなく、第一組ファスナー１５或いは第二組ファスナー２１を開いて副蓋体２２を開ければ良い。そのため、非常に便利である。
【００１８】
また、図５に示すとおり、副蓋体２２を開ける時、第一組ファスナー１５或いは第二組ファスナー２１を分離して底部の該補助片１６(図６,７参照)を中心に開けばよく、この場合、箱体１０は直立状態でよく、地面に平置きする必要がないので、小さな空間で開けることができ、非常に便利ある。
【００１９】
また、蓋体１２の正面に副蓋体２２を形成し、蓋体１２を保護する作用を備えるため、蓋体１２が直接擦れたり、ぶつかったりするのを防止する。
なお、本考案の特徴を損なうものでなければ、上述した実施例に限定されないことは勿論であり、本考案の構造は、極めて良好な実用性と効果を備えている。
【符号の説明】
【００２０】
１        箱体
１０        箱体
１１        ファスナー
１２        蓋体
１３        凹槽
１４        固定片
１５        第一組ファスナー
１６        補助片
２        蓋体
２０        連結部品
２１        第二組ファスナー
２２        副蓋体
２３        側片
３        ファスナー